(57)【要約】【課題】  容器蓋に取付けられた防水パッキンが外れることを抑制することを期待できる密閉容器を提供する。【解決手段】  器具本体（密閉容器）11は、本体ケース（密閉容器本体）12と、容器蓋45と、弾性変形が可能な環形の防水パッキン61と、複数のねじを具備する。本体ケース12は、開閉口41と、開閉口の周囲に複数設けられたねじ孔を有する。開閉口41を開閉する容器蓋45の周部47に複数のねじ通孔を設ける。防水パッキン61は、開閉口41の周囲と周部47裏側とで挟まれる環形の第１包囲部62、第１包囲部に一体に連続されて周部47を表側から覆う第２包囲部63を有し、容器蓋45のねじ通孔に連通するねじ通孔を第１包囲部62に設ける。周部47を防水パッキン61で包んでこのパッキンを容器蓋45に支持する。容器蓋45及びパッキン61の各ねじ通孔を通って本体ケース12のねじ孔に着脱可能なねじをねじ込んで、容器蓋45を本体ケース12に取付けたことを特徴としている。【選択図】図５
2012201386.tif 000002
【特許請求の範囲】
【請求項１】
開閉口を有するとともにこの開閉口の周囲に設けられた複数のねじ孔を有した密閉容器本体と；
周部に複数のねじ通孔が設けられた容器蓋と；
弾性変形が可能なシール材料により環形に形成されるとともに、前記開閉口の周囲と前記周部の裏側とで挟まれる環形の第１包囲部、この第１包囲部に一体に連続されて前記周部を表側から覆う第２包囲部、及び前記第１包囲部を貫通しかつ前記容器蓋のねじ通孔に連通する複数のねじ通孔を有して、前記周部を包んで前記容器蓋に支持された防水パッキンと；
この防水パッキンと前記容器蓋の互に連通した前記ねじ通孔を通って前記ねじ孔に着脱可能にねじ込まれて前記容器蓋を前記密閉容器本体に取付けた複数のねじと；
を具備することを特徴とする密閉容器。
【請求項２】
前記容器蓋の裏側に開放する環形溝を前記容器蓋部に設けるとともに、この環形溝に密に嵌入する環形の第３包囲部を前記防水パッキンに設けたことを特徴とする請求項１に記載の密閉容器。
【請求項３】
前記ねじの締め付けによって前記第１包囲部に食い込むストッパ凸部を前記周部に設けたことを特徴とする請求項１又は２に記載の密閉容器。
【請求項４】
前記開閉口及び前記容器蓋がともに長方形であって、前記ストッパ凸部を前記容器蓋の長手方向両端部に夫々設けるとともに、前記容器蓋のねじ通孔を、前記長手方向一端部と他端部に夫々配設されたストッパ凸部間に設けたことを特徴とする請求項３に記載の密閉容器。
【請求項５】
前記防水パッキンのねじ通孔の径が、このねじ通孔に通されている前記ねじのねじ軸部の直径より小さいことを特徴とする請求項１から４のうちのいずれか一項に記載の密閉容器。
【請求項６】
請求項１から５のうちのいずれか一項に記載の密閉容器であって、この容器が備えた密閉容器本体に透光部材を装着して構成された器具本体と；
この器具本体に内蔵されて前記透光部材に向けて発光する発光部と；
前記容器本体が有した開閉口に臨むように前記容器本体に内蔵され前記発光部への通電を担う電気部品と；
を具備することを特徴とする照明器具。
【発明の詳細な説明】
【技術分野】
【０００１】
本発明の実施形態は、例えば防水性を要求される密閉容器、及び透光部材が装着された前記密閉容器を器具本体として備える照明器具に関する。
【背景技術】
【０００２】
閉じたケーシングをなすベース部とフード部のうちの一方の縁部を差込部分とするとともに、他方の縁部を、差込部分を受容する断面Ｕ字形の受容部分とし、この受容部分にエラストマフォームからなるシール材を収め、このシール材に差込部分を食い込ませて、ケーシングを密閉した構成の照明装置が、従来技術として知られている。
【０００３】
防水性を有する密閉容器に収容された部品例えば電気部品に外部電線を接続するため、又は密閉容器に収容された部品を点検するため、若しくは密閉容器に収容された部品を交換するためなどの要請から密閉容器は開閉可能な容器蓋を有して構成される場合がある。この場合、容器蓋の取付け部での防水性を確保する必要がある。
【０００４】
一般的に、防水性を確保する上では可撓性を有したシール材からなるＯリング等の防水パッキンが用いられる。この防水パッキンを密閉容器に設けた環状の取付け溝等に嵌めて設けた構成では、容器蓋が外された状態で防水パッキンが定位置からずれ動く可能性や外れて落ちる等の可能性がある。
【０００５】
又、防水パッキンが不用意に外れないようにするためには、この防水パッキンを接着止めすればよい。しかし、この場合、接着剤を用いるのでコスト高となる。特に、例えば屋外用の密閉容器等では、長期にわたる耐候性が要求される関係で、防水パッキンには材料コストが高いシリコーン樹脂が用いられることがあるが、この樹脂製の防水パッキンを接着するには特殊な接着剤が必要であるので、なお更、コスト高になる。
【先行技術文献】
【特許文献】
【０００６】
【特許文献１】特表２０１０−５０６３６４号公報
【発明の概要】
【発明が解決しようとする課題】
【０００７】
実施形態は、容器蓋に取付けられた防水パッキンが外れることを抑制することが期待できる密閉容器及び照明器具を提供することにある。
【課題を解決するための手段】
【０００８】
前記課題を解決するために、実施形態の密閉容器は、密閉容器本体と、容器蓋と、防水パッキンと、複数のねじを具備する。密閉容器本体は、開閉口と、この開閉口の周囲に設けられた複数のねじ孔を有する。開閉口を開閉する容器蓋の周部に複数のねじ通孔を設ける。弾性変形が可能なシール材料で環形に形成された防水パッキンは、開閉口の周囲と容器蓋の周部裏側とで挟まれる環形の第１包囲部、この第１包囲部に一体に連続されて周部を表側から覆う第２包囲部を有し、第１包囲部にこれを貫通しかつ容器蓋のねじ通孔に連通する複数のねじ通孔を設ける。容器蓋の周部を防水パッキンの第１、第２の包囲部で包んで容器蓋に防水パッキンを支持する。着脱可能なねじを容器蓋と防水パッキンの互に連通されたねじ通孔に通して密閉容器本体のねじ孔にねじ込んで、容器蓋を密閉容器本体に取付けたことを特徴としている。
【発明の効果】
【０００９】
実施形態の密閉容器によれば、容器蓋から防水パッキンが外れることを低コストで抑制することが期待できる。
【図面の簡単な説明】
【００１０】
【図１】実施例１に係る照明器具を示す斜視図である。
【図２】図１の照明器具をその容器蓋周りを分解した状態で示す斜視図である。
【図３】図１の照明器具をその容器蓋を通る位置で示す断面図である。
【図４】図１の照明器具の一部を示す下面図である。
【図５】図４中矢印Ｆ５−Ｆ５線に沿う断面図である。
【図６】図１の照明器具が備える容器蓋と防水パッキンとの関係を斜め上側から見て示す斜視図である。
【図７】図１の照明器具が備える容器蓋と防水パッキンとの関係を斜め下側から見て示す斜視図である。
【図８】実施例２に係る照明器具を示す断面図である。
【図９】実施例３に係る照明器具を示す断面図である。
【発明を実施するための形態】
【００１１】
実施形態１の密閉容器は、開閉口を有するとともにこの開閉口の周囲に設けられた複数のねじ孔を有した密閉容器本体と；周部に複数のねじ通孔が設けられた容器蓋と；弾性変形が可能なシール材料により環形に形成されるとともに、前記開閉口の周囲と前記周部の裏側とで挟まれる環形の第１包囲部、この第１包囲部に一体に連続されて前記周部を表側から覆う第２包囲部、及び前記第１包囲部を貫通しかつ前記容器蓋のねじ通孔に連通する複数のねじ通孔を有して、前記周部を包んで前記容器蓋に支持された防水パッキンと；この防水パッキンと前記容器蓋の互に連通した前記ねじ通孔を通って前記ねじ孔に着脱可能にねじ込まれて前記容器蓋を前記密閉容器本体に取付けた複数のねじと；を具備することを特徴としている。
【００１２】
この実施形態１で、密閉容器本体の開閉口は、丸形であっても、角形例えば四角形であっても差し支えないとともに、開閉口が四角形である場合、その四隅近傍にねじ孔を設けることが好ましい。この実施形態１で、防水パッキンをなすシール材料には、エラストマや合成ゴムを用いることが可能であり、特に耐候性を長期にわたり求められる密閉容器の場合、シール材料としてはシリコーン樹脂を用いることが好ましい。この実施形態１の密閉容器は、例えば、屋外や湿気に晒される可能性のある場所に設置される照明器具の器具本体として好適に実施できるが、これには制約されず、防水性を要求される密閉構造の容器の全てに適用可能である。
【００１３】
実施形態１の密閉容器は、複数のねじの着脱を伴って容器蓋を密閉容器本体に着脱可能であり、容器蓋が密閉容器本体に取付けられた状態では、防水パッキンの第１包囲部を通った複数のねじの締め付け力によって、防水パッキンの第１包囲部が密閉容器本体の開閉口の周りと容器蓋の周部裏側とで挟まれるので、容器蓋の取付け部での防水性を確保できる。そして、必要により容器蓋を外して開閉口を開放することで、この開閉口を通して密閉容器本体に内蔵された部品に対する必要な処置を講じることが可能である。
【００１４】
環形の防水パッキンは、その第１包囲部と第２包囲部で容器蓋の周部を包んで、容器蓋に支持されているので、容器蓋と一体的に取扱うことが可能である。このため、容器蓋とともに防水パッキンが着脱されるにも拘らず、密閉容器本体から外された容器蓋に対して防水パッキンが所定位置からずれることを抑制可能であるとともに防水パッキンが脱落することを抑制可能である。しかも、こうしたずれや脱落の防止のために、防水パッキンを容器蓋等に接着剤で接着する必要がないので、防水パッキンが耐候性の高いシリコーン樹脂製であっても、既述の構成により低コストで防水パッキンが外れることを抑制可能である。
【００１５】
実施形態２の密閉容器は、実施形態１において、前記容器蓋の裏側に開放する環形溝を前記容器蓋に設けるとともに、この環形溝に密に嵌入する環形の第３包囲部を前記防水パッキンに設けたことを特徴としている。
【００１６】
この実施形態２では、実施形態１において、更に、容器蓋が外された状態で、この容器蓋の周部から防水パッキンを外す方向に外力が作用することがあっても、容器蓋の環形溝に防水パッキンの第３包囲部が引っ掛かっていることにより、この引っ掛かりをストッパとして防水パッキンが容器蓋の周部を包んだ状態を保持できる。このため、外された状態の容器蓋に対して防水パッキンを所定位置に確実に保持することが可能である。
【００１７】
更に、実施形態２では、ねじの締め付け力によって、第３包囲部とこれが嵌入された環形溝との密接度が高められることに加えて、前記嵌入部分によって、容器蓋と防水パッキンとの間の浸水経路が折れ曲がってかつ長く確保される。したがって、容器蓋と防水パッキンとの間を通る浸水をより確実に抑制することが可能である。
【００１８】
実施形態３の密閉容器は、実施形態１又は２において、前記ねじの締め付けによって前記第１包囲部に食い込むストッパ凸部を前記周部に設けたことを特徴としている。
【００１９】
この実施形態３では、実施形態１又は２において、更に、以下の利点がある。つまり、密閉容器本体への容器蓋のねじ止めに伴って、隣接したねじ間にわたるように位置された第１包囲部のうちでねじの締め付け部が最大に圧縮されるのに対して、これら最大圧縮部間の中間部分は、密閉容器本体の開閉口の周りの部分に対して離れる方向に反る変形をしようとする傾向がある。しかし、容器蓋の周部に設けたストッパ凸部が第１包囲部に食い込んで前記中間部分を押えることによって、前記変形を防止できるとともに、密閉容器本体の開閉口の周りの部分に対する第１包囲部の密接度を高めることができる。このため、密閉容器本体の開閉口の周りの部分と防水パッキンとの間を通る浸水をより確実に抑制することが可能である。
【００２０】
実施形態４の密閉容器は、実施形態３において、前記開閉口及び前記容器蓋がともに長方形であって、前記ストッパ凸部を前記容器蓋の長手方向両端部に夫々設けるとともに、前記容器蓋のねじ通孔を、前記長手方向一端部と他端部に夫々配設されたストッパ凸部間に設けたことを特徴としている。
【００２１】
この実施形態４では、実施形態３において、更に、以下の利点がある。つまり、密閉容器本体に容器蓋をねじ止めする場合、容器蓋の長手方向について容器蓋のねじ通孔により規定されるねじの締め付け位置とストッパ凸部との位置関係により、ねじのねじ込みが進行してストッパ凸部が第１包囲部に食い込むようになった時点から、容器蓋の周部の長手方向に延びる部位を密閉容器本体の開閉口の周りの部分に押し付けるようにねじの締め付け力が、ストッパ凸部を支点として作用する。このため、容器蓋が長方形であるにも拘らず、その周部の長手方向に延びる部分の中間部をねじ止めすることなく、容器蓋の四隅を通ってねじ込まれたねじの締め付けのみで、防水パッキンの第１包囲部を密閉容器本体の開閉口の周りに確実に密接させて、容器蓋の取付け部での防水性を確保することが可能である。
【００２２】
実施形態５の密閉容器は、実施形態１から４のうちのいずれかにおいて、前記防水パッキンのねじ通孔の径が、このねじ通孔に通されている前記ねじのねじ軸部の直径より小さいことを特徴としている。
【００２３】
この実施形態５では、実施形態１から４のいずれかにおいて、更に、複数のねじのねじ軸部が、防水パッキンのねじ通孔周りを弾性変形させてこのねじ通孔に通されているので、容器蓋とともに防水パッキンが密閉容器本体から外された状態でも、ねじ軸部は防水パッキンのねじ通孔に引っ掛かった状態に維持される。そのため、容器蓋が外された状態で、ねじが脱落して紛失することが抑制されるに伴い、再び容器蓋を密閉容器本体に取付ける作業を容易に行うことが可能である。
【００２４】
実施形態６の照明器具は、実施形態１から５のうちのいずれかに記載の密閉容器であって、この密閉容器が備えた密閉容器本体に透光部材を装着して構成された器具本体と；この器具本体に内蔵されて前記透光部材に向けて発光する発光部と；前記器具本体が有した開閉口に臨むように前記器具本体に内蔵され前記発光部への通電を担う電気部品と；を具備することを特徴としている。
【００２５】
この実施形態６では、容器蓋に取付けられた防水パッキンが外れることを低コストで抑制することを期待できる実施形態１から５のいずれかに記載の密閉容器からなる器具本体を備えた照明器具を提供可能である。
【実施例１】
【００２６】
以下、実施例１の密閉容器からなる器具本体を備えた照明器具について、図１〜図７を参照して詳細に説明する。
【００２７】
図１〜図３中符号１は、図示しない器具ホルダに支持される照明器具を示している。器具ホルダと照明器具１は照明装置を構成する。なお、図中符号２は、器具ホルダと照明器具１とを連結するための連結手段が有する図示しないボルト及びこのボルトを回り止めするためのボルトホルダ等が長手方向の所定位置に配設される連結用の溝条を示している。
【００２８】
照明器具１は、上向きに光を出射して被照射対象例えば建物の壁面を照明するために、屋外に器具ホルダとともに設置される。この照明器具１が備える器具本体１１は、以下説明する密閉容器からなる。器具本体１１は、密閉容器本体をなす本体ケース１２と、透光部材２３と、一対の押え縁２５と、二枚の側板３１と、容器蓋４５等を具備している。
【００２９】
本体ケース１２は、金属の型材例えばアルミニウム合金の押し出し型材を所定の長さに切断して得たものであり、例えば長尺である。図３に示すように本体ケース１２は、その長手方向に直交する幅方向（短手方向）に対向するケース側壁１３の下端を、平坦なケース底壁１４（図２及び図４参照）で一体に連続して形成されている。それにより、本体ケース１２の長手方向両端は夫々開放されているとともに、ケース側壁１３間も上方に開放されている。ケース側壁１３の内面には本体ケース１２の長手方向全長にわたって延びる支持凸条１５が夫々突設されている。尚、片方のケース側壁１３に前記溝条２が形成されている。
【００３０】
図３に示すように対向したケース側壁１３は夫々連結端部１６を有している。これら連結端部１６は、例えばケース本体１３の上端部をなして設けられていて、本体ケース１２の幅方向に対向しているとともに平行である。連結端部１６に、シール溝１７と図示しない複数のねじ孔等が設けられている。シール溝１７は連結端部１６の長手方向全長にわたって延びていて、上方に開放されている。各ねじ孔は、連結端部１６の幅方向に沿ってシール溝１７からずれた位置に設けられ、かつ、連結端部１６の長手方向に間隔的に複数設けられている。
【００３１】
本体ケース１２に、上部タッピングホール１８と、下部タッピングホール１９が設けられている。上部タッピングホール１８は、連結端部１６の裏側（下側）近傍で、ケース側壁１３に一体に形成されている。下部タッピングホール１９はケース側壁１３とケース底壁１４とが連続する角部に夫々形成されている。
【００３２】
本体ケース１２に防水リング２１（図３参照）が支持されている。防水リング２１は、弾性変形が可能なシール材料例えば耐候性に優れたシリコーン樹脂により、本体ケース１２の大きさに見合った四角い形状例えば長四角状の環形に形成されている。この防水リング２１の長い方の部位はシール溝１７に嵌められて連結端部１６に支持され、かつ、防水リング２１の短い方の部位は、平行な連結端部１６にわたって配設されている。
【００３３】
透光部材２３は、透光性材料例えばガラス板で形成されていて、防水リング２１より一回り大きな四角い形状例えば長四角形をなしている。平行な連結端部１６にわたって配設された透光部材２３は、その周部に下側から接した防水リング２１で支持されている。
【００３４】
真っ直ぐな二本の押え縁２５は、金属の型材例えばアルミニウム合金の押し出し型材を本体ケース１２と同じ長さに切断して得たものであり、タッピングホール２６を有している。タッピングホール２６は押え縁２５をその長手方向に貫通している。図１及び図３に示すように押え縁２５は複数の連結孔２７を有している。これら連結孔２７は、押え縁２５の長手方向に間隔的に設けられているとともに、タッピングホール２６に直交して押え縁２５を上下方向に貫通している。
【００３５】
各連結孔２７に上方から挿入されて、連結端部１６の図示しない各ねじ孔にねじ込まれた連結ねじ（図示しない）で、押え縁２５が連結端部１６に夫々連結されている。この連結により、押え縁２５は防水リング２１との間に透光部材２３の長い方の縁部を上下方向に挟んでいる。これにより、防水リング２１が、圧縮するように弾性変形されて、シール溝１７及び透光部材２３の下面に夫々密接されて、透光部材２３まわりの防水が確保されている。尚、図３中符号２８は押え縁２５に貼り付けられたゴムやエラストマ等からなる緩衝材を示している。この緩衝材２８の緩衝作用で、押え縁２５のねじ止めに伴い透光部材２３に過度な応力が作用することを抑制して、この透光部材２３の損傷が防止されている。
【００３６】
側板３１は金属例えばアルミニウム合金のダイキャスト製品である。この側板３１は、本体ケース１２の長手方向の端面、透光部材２３の長手方向の端面、及び押え縁２５の長手方向の端面との間に、防水部材３３を挟んで本体ケース１２の端部に連結されている。
【００３７】
この連結は、側板３１及び防水部材３３を通って本体ケース１２の上部タッピングホール１８にねじ込まれたねじ３５（図１及び図２参照）、同じく側板３１及び防水部材３３を通って本体ケース１２の下部タッピングホール１９にねじ込まれたねじ３６（図１及び図２参照）、及び同じく側板３１及び防水部材３３を通って押え縁２５のタッピングホール２６にねじ込まれたねじ３７（図１及び図２参照）が担っている。
【００３８】
防水部材３３は弾性変形が可能なシール材料例えば耐候性に優れたシリコーン樹脂等である。側板３１及び防水部材３３は、溝条２の長手方向の端を開放させる逃げ溝を有している。尚、図１及び図３中符号３８はねじ３７で共締めされたカバー部材を示している。このカバー部材３８は透光部材２３の長手方向の端部を覆って保護している。
【００３９】
本体ケース１２は開閉口４１(図２参照)を有している。開閉口４１は、長方形であり、その長手方向を本体ケース１２の長手方向に一致させて例えばケース底壁１４の長手方向の一端部に設けられている。更に、本体ケース１２は開閉口４１の周囲に複数のねじ孔４２を有している。これらねじ孔４２は、図２に示すように例えば開閉口４１の四隅近傍に位置して夫々ケース底壁１４に設けられている。
【００４０】
この開閉口４１を開閉する容器蓋４５が本体ケース１２に着脱可能にねじ止めされている。容器蓋４５は、後述する防水パッキン６１と一緒に着脱されるものであって、強度を確保するために金属製例えばアルミダイキャスト製品で作られている。尚、高い強度を要求されない場合は、容器蓋４５を硬質合成樹脂製とすることも可能である。
【００４１】
容器蓋４５は、その平面視形状が開閉口４１と相似形で、かつ、開閉口４１より大きい長方形である。容器蓋４５はその裏面（下面）に突出された例えば長四角枠形の環形壁４６を有している。容器蓋４５の周部４７は環形壁４６から外側に連続した部位で形成されている。
【００４２】
周部４７は、環形壁４６及びこれに囲まれた領域に連続した肉厚部位４７ａと、この肉厚部位４７ａに連続した薄肉部位４７ｂを有している。肉厚部位４７ａの表面に対して薄肉部位４７ｂの表面は下がっており、肉厚部位４７ａの裏面と薄肉部位４７ｂの裏面は面一である。容器蓋４５には、その裏面に開放する環形溝４８が設けられている。この環形溝４８は、環形壁４６と肉厚部位４７ａとの間に形成されている。
【００４３】
周部４７の例えば角部に夫々ねじ通孔４９が設けられている。これら複数のねじ通孔４９は薄肉部位４７ｂの角部を貫通している。尚、図７中符号５０はねじ通孔４９を囲んで周部４７の表面に一体に設けられた短いカバー筒部を示している。
【００４４】
容器蓋４５の長手方向両端部でかつ周部４７の裏面に夫々一対のストッパ凸部５１が設けられている。尚、ストッパ凸部５１は容器蓋４５の短手方向に延びるように連続して設けることも可能である。容器蓋４５の長手方向両端部に設けられたストッパ凸部５１間に各ねじ通孔４９が設けられている。言い換えれば、容器蓋４５の長手方向両端部に設けられたストッパ凸部５１を基準として、容器蓋４５の長手方向中央部側にずれた位置にねじ通孔４９が設けられており、具体例としては図６に示すように環形壁４６及び環形溝４８とストッパ凸部５１との間に、ねじ通孔４９が夫々設けられている。尚、図４及び図６中符号Ａは前記ずれ寸法を示している。
【００４５】
容器蓋４５の環形壁４６で囲まれた領域に通線孔５２が開けられている。この通線孔５２に、前記領域の裏面に接するフランジ部とこのフランジ部から一体に突設されたホルダ筒状部とからなる図示しない電線ホルダが通され、ホルダ筒状部の外周にナット部材が螺合されるようになっている。ホルダ筒状部は、その先端に開放する複数の切込み溝を有していて縮径可能である。このホルダ筒状部の内面に弾性変形が可能な防水筒が支持されていて、前記ナット部材の締め付けにより、電線ホルダを容器蓋４５に水密に取付けるとともに、ホルダ筒状部を縮径させて、この筒状部を電線ホルダに通された図示しない給電用等の電線の外周に密接させて、通線部の水密を確保できるようになっている。
【００４６】
防水パッキン６１は、弾性変形が可能なシール材料例えば耐候性に優れたシリコーン樹脂により、例えば長四角枠形で容器蓋４５に見合った大きさに形成されている。この防水パッキン６１は、第１包囲部６２〜第３包囲部６４と、密接ビード６５と、複数のねじ通孔６６を有している。
【００４７】
第１包囲部６２は、図３及び図５に示すように開閉口４１の周囲外面に接する部位であり、図６等に示すように途切れることなく連続して環形に設けられている。この第１包囲部６２に、開閉口４１の周部外面に向けて突出する密接ビード６５が一体に設けられている。この密接ビード６５も途切れることなく連続して環形に設けられている。第２包囲部６３は、容器蓋４５の周部４７を表側から覆うために、第１包囲部６２の外周から折り返すように第１包囲部６２に一体に連続された部位であって、環状である。これら第１包囲部６２と第２包囲部６３とで容器蓋４５の周部４７を包むことによって、防水パッキン６１が容器蓋４５に支持されている。
【００４８】
第３包囲部６４は第１包囲部６２の内周に一体に設けられている。第３包囲部６４は第１包囲部６２に対して略直角に折れ曲がるように連続していて、途切れることなく連続して環形に設けられている。この第３包囲部６４は前記環形溝４８に密に嵌入されている。更に、防水パッキン６１には第３包囲部６４と一体に連続しかつこの第３包囲部６４と反対側に突出する裏側突出部６７が第１包囲部６２の内周に一体に設けられている。裏側突出部６７も途切れることなく連続して環形に設けられており、これら第２包囲部６４と裏側突出部６７は、環形壁４６の外周面に密接されるようになっている。尚、裏側突出部５７は開閉口４１への挿入を容易にするために先細り状に形成されている。
【００４９】
ねじ通孔６６は密接ビード６５の四隅部に位置して防水パッキン６１を厚み方向に貫通して設けられている。これらのねじ通孔６６は、防水パッキン６１が容器蓋４５の周部４７に被さって支持された状態で、容器蓋４５のねじ通孔４９に夫々連通されるようになっている。
【００５０】
容器蓋４５は、その周部４７を包んで容器蓋４５に支持された防水パッキン６１とともに、複数のねじ６９（図２参照）で本体ケース１２のケース底壁１４に取付けられている。ねじ６９は、容器蓋４５のねじ通孔４９とこれに連通した防水パッキン６１のねじ通孔６６を通って、ケース底壁１４のねじ孔４２に着脱可能にねじ込まれている。各ねじ６９のねじ頭を覆う前記カバー筒部５０によって、ねじ頭が視認し難くなっているだけではなく、ねじ頭に水が波及し難くなるように水切りすることが可能となっている。
【００５１】
防水パッキン６１のねじ通孔６６の直径は、ねじ６９のねじ軸部の直径より小さい。このため、ねじ６９のねじ軸部は防水パッキン６１のねじ通孔６６の周部を弾性変形させた状態で、ねじ通孔６６を貫通している。
【００５２】
前記構成の器具本体１１には、光源ユニット７１、電源ユニット８１、その他の電気部品例えば端子台８３及びサージプロテクタ８５等が内蔵されている。
【００５３】
光源ユニット７１は、図３に示すようにユニットベース７２、例えば複数の発光モジュール７４（一個のみ図示する。）、発光モジュール７４と同数のレンズ７７等を備えている。
【００５４】
ユニットベース７２は、金属の型材例えばアルミニウム合金の押し出し型材を本体ケース１２より若干短い長さに切断して得たものである。ユニットベース７２は、その幅方向両側面に夫々開放する係合溝７２ａと上方に開放する溝部７２ｂを有していて、これらはユニットベース７２の長手方向全長にわたり延びている。
【００５５】
発光モジュール７４は、例えば長方形のモジュール基板７５に、複数の発光部７６（一個のみ図示）及び一対の電線コネクタ（図示しない）を装着して形成されている。モジュール基板７５の全長はユニットベース７２の全長より短い。図３にはモジュール基板７５の長手方向に直交する短手方向(幅方向)の断面が示されている。
【００５６】
各発光部７６は、例えばモジュール基板７５の短手方向中央に位置し、かつ、モジュール基板７５の長手方向に一定間隔毎に実装されて、このモジュール基板７５が有する図示しない配線パターンを介して電気的に直列に接続されている。これらの発光部７６には例えばＬＥＤパッケージからなるＬＥＤが用いられている。したがって、発光モジュール７４はＬＥＤ発光モジュールであり、これを備えた照明器具１はＬＥＤ照明器具である。
【００５７】
ＬＥＤパッケージは、電極が設けられたベース上にＬＥＤチップを実装するとともに、このＬＥＤチップを収容する円錐台上の凹部を有した反射体を装着し、凹部に蛍光体入りの透光性封止樹脂を充填して形成されている。このＬＥＤパッケージにおいて、青色発光をするＬＥＤチップが用いられているので、白色照明光を得るために、黄色の蛍光体が用いられている。
【００５８】
ＬＥＤの発光は、半導体のｐ−ｎ接合に順方向電流を流すことで実現されるので、ＬＥＤは電気エネルギーを直接光に変換する固体素子である。こうした発光原理で発光する半導体発光素子は、通電によりフィラメントを高温に白熱させて、その熱放射により可視光を放射させる白熱電球と比較して、省エネルギー効果を有するものである。
【００５９】
図示しない前記電線コネクタはモジュール基板７５の長手方向の両端部に夫々実装されている。これら電線コネクタには、それらの間に配設された複数の発光部７６がなした列の端が電気的に接続されている。これとともに、隣接した発光モジュール７４同士は、電線コネクタにわたって配線された電線を介して電気的に直列に接続されている。
【００６０】
各発光モジュール７４は溝部７２ｂに上方から嵌合されている。この発光モジュール７４は、発光部７６を上向きにして、モジュール基板７５を通ってユニットベース７２にねじ込まれた図示しないねじでユニットベース７２に固定されている。こうしたねじ止めにより、各発光モジュール７４は、ユニットベース７２にその長手方向に沿って間隔的に配設され、好ましくは等間隔に配設されている。
【００６１】
各レンズ７７は、透光性合成樹脂の一体成形品からなり、レンズ部と、このレンズ部の幅方向両側に夫々複数突設された取付け脚を備えている。レンズ部は、一つの発光モジュール７４が有した複数の発光部７６にわたる長さを有しているとともに、光入射面を有している。このレンズ７７の長手方向に直交する断面の形状は各部同じである。各レンズ７７は、その取付け脚を通ってユニットベース７２にねじ込まれたねじ（図示しない）により、発光モジュール７４を上側から覆ってユニットベース７２に固定されている。レンズ７７の光入射面は発光部７６の真上に対向されている。
【００６２】
図３に示した電源ユニット８１は、各発光モジュール７４への給電を担って各発光部７６を発光させるものであり、ユニットベース７２の下面にねじ止めされている。又、図３、図２及び図５中符号８３は給電用の端子台を示している。端子台８３はユニットベース７２の下面に取付けられていて、電源ユニット８１に電気的に接続されている。この端子台８３には、開閉口４１を通って引き込まれる給電用の電線（図示しない）が差し込み接続されるようになっている。更に、ユニットベース７２の下面は、サージ電圧を吸収するためのサージプロテクタ８５（図５参照）等も取付けられている。
【００６３】
前記構成の光源ユニット７１は、その係合溝７２ａを本体ケース１２の支持凸条１５に夫々嵌合させて、本体ケース１２の長手方向一端から他端に向けて挿入することにより、器具本体１１に内蔵されて、本体ケース１２の対向したケース側壁１３間に支持されている。又、器具本体１１に内蔵された光源ユニット７１のユニットベース７２は、その長手方向から防水部材３３で挟まれている。更に、器具本体１１に内蔵された端子台８３は、図２及び図６に示すように開閉口４１に臨んで配設される。
【００６４】
前記構成の照明器具１は、建物の壁面照明をするために、透光部材２３を上向きにした略水平な状態で投光器として屋外に設置される。この照明器具１が有した光源ユニット７１の発光部７６が発光されると、これが発した上向きの照明光は、まず、レンズ７７に入射し、このレンズ７７により投光角を器具本体１１の幅方向に広げられて、レンズ７７の上面(光出射面)から出射される。この出射光は、レンズ７７の真上に在る透光部材２３を上向きに透過する。それにより、壁面照明が行われる。
【００６５】
この照明時に発光部７６が備えるＬＥＤチップが発する熱は、モジュール基板７５を通して金属製のユニットベース７２に伝導され、更に、このユニットベース７２から金属製の本体ケース１２に伝導されて、この本体ケース１２の外面から外部に放出される。そのため、ＬＥＤチップの温度過昇が抑制されて、その発光効率の低下などを抑制することが可能である。
【００６６】
照明器具１を組立てる際、その最終工程で本体ケース１２に容器蓋４５をねじ止めする手順を説明する。
【００６７】
まず、容器蓋４５の周部４７に防水パッキン６１を被せる。この場合、防水パッキン６１の第１包囲部６２及び第２包囲部６３が、周部４７の表裏にわたって被される。詳しくは、第１包囲部６２が周部４７の裏面全体に重なるとともに、第２包囲部６３が周部４７の薄肉部位４７ｂの端面及び表面に重なり、それにより、周部４７全体が第１包囲部６２及び第２包囲部６３で包まれた状態となって、環形の防水パッキン６１が容器蓋４５の周部４７に支持される。
【００６８】
これとともに、第３包囲部６４が、容器蓋４５の環形溝４８に嵌入されて、周部４７をその内周側から覆った状態となり、かつ、第３包囲部６４に連続した裏側突出部６７が第３包囲部６４とともに容器蓋４５の環形壁４６の外周面に接した状態となる。更に、容器蓋４５の四隅のねじ通孔４９と防水パッキン６１の四隅のねじ通孔６６とが互に連通される。
【００６９】
次に、容器蓋４５の通線孔に図示しない通線ホルダを挿入した後に、このホルダに電源供給用の絶縁被覆電線（図示しない）を通してから、この電線が既に通されている図示しないナット部材を通線ホルダに螺合させて、容器蓋４５を貫通した前記電線を仮保持する。
【００７０】
この後、前記電線の先端部を、本体ケース１２の開閉口４１に通して、この開閉口４１に臨んでいる端子台８３に差し込み接続する。
【００７１】
最後に、周部４７に防水パッキン６１が支持された容器蓋４５をケース底壁１４にねじ止めした上で、前記ナット部材を本締めして、通線部の防水性を確保する。
【００７２】
容器蓋４５のねじ止めは、ねじ通孔６６及びこれに連通しているねじ通孔４９にねじ６９を通すとともに、このねじ６９をケース底壁１４のねじ孔４２に夫々ねじ込むことによって行われる。以上の手順で容器蓋４５が本体ケース１２にねじ止めされた状態を図３及び図５に示す。
【００７３】
こうしたねじ止めによって、防水パッキン６１の第１包囲部６２が、圧縮状態となって、容器蓋４５の周部４７裏側とケース底壁１４の開閉口４１の周囲の部分との間に挟まれる。この場合、第１包囲部６２のストッパ凸部５１が、圧縮状態となって、第１包囲部６２のストッパ凸部５１以外の部分よりも強く開閉口４１の周囲の部分に密接される。これにより、ケース底壁１４の開閉口４１の周囲の部分と第１包囲部６２との間の防水性を確保できる。
【００７４】
以上説明したケース底壁１４への容器蓋４５のねじ止めに伴って、第１包囲部６２は、容器蓋４５の四隅でのねじ６９の締め付け部で最大に圧縮される。これに対して、容器蓋４５の短手方向に隣接したねじ６９間にわたるように位置された第１包囲部６２の前記短手方向に延びる部位の中間部分、及び容器蓋４５の長手方向に隣接したねじ６９間にわたるように位置された第１包囲部６２の前記長手方向に延びる部位の中間部分は、夫々ケース底壁１４の開閉口４１の周囲の部分に対して離れる方向に変形しようとする傾向がある。
【００７５】
しかし、容器蓋４５の短手方向に延びる部位の中間部分の変形は、ねじ止めに伴って容器蓋４５の周部４７に設けたストッパ凸部５１が、第１包囲部６２の短手方向に延びる部位の中間部分に食い込むことによって、抑制される。これに加えて、ケース底壁１４の開閉口４１の周囲の部分に対する第１包囲部６２の密接度が高められる。このため、ケース底壁１４の開閉口４１の周りの部分と防水パッキン６１との間を通る浸水をより確実に抑制することが可能である。
【００７６】
更に、ストッパ凸部５１が長方形の容器蓋４５の長手方向両端部に夫々設けられているとともに、容器蓋４５のねじ通孔４９が、容器蓋４５の長手方向の一端と他端との間に位置されたストッパ凸部５１間に設けられている。つまり、各ねじ通孔４９はストッパ凸部５１に対して容器蓋４５の長手方向中央部側に寄せて設けられている、このため、ケース底壁１４の開閉口４１の周囲の部分と防水パッキン６１との間を通る浸水をより確実に抑制することが可能である。
【００７７】
詳しくは、ケース底壁１４に既述の手順で容器蓋４５がねじ止される場合、容器蓋４５の長手方向について容器蓋４５のねじ通孔４９により規定されるねじ６９の締め付け位置とストッパ凸部５１との位置関係により、ねじ６９のねじ込みが進行してストッパ凸部５１が第１包囲部６２に食い込むようになった時点から、容器蓋４５の周部４７の長手方向に延びる部位をケース底壁１４の開閉口４１の周囲の部分に押し付けるようにねじ６９の締め付け力が、容器蓋４５の周部４７にストッパ凸部５１を支点として作用する。これにより、容器蓋４５の周部４７の長手方向に延びる部位がケース底壁１４に近付くように変形される。即ち、容器蓋４５の周部４７の長手方向に延びる部位とケース底壁１４の開閉口４１の周囲の部分とで、これらの間にある防水パッキン１７の第１包囲部６２の長手方向に延びる部位が強く挟まれて、防水パッキン１７とケース底壁１４及び容器蓋４５の周部４７との密接度が高められる。
【００７８】
このため、容器蓋４５の周部４７の長手方向に延びる部位の中間部分をねじ止めすることなく、容器蓋４５の四隅を通ってねじ込まれたねじ６９の締め付けのみで、防水パッキン６１の第１包囲部６２をケース底壁１４の開閉口４１の周りに確実に密接させて、容器蓋４５の取付け部での防水性を確保することが可能である。したがって、容器蓋４５が長方形であるにも拘らず、ねじ止め箇所を最小にできるに伴い、防水パッキン６１が支持された容器蓋４５の取付け作業性を向上することが可能である。
【００７９】
又、容器蓋４５の環形溝４８とこれに嵌入されている防水パッキン６１の第３包囲部６４との密接度は、既述のねじ止めに伴って高められる。これに加えて、環形溝４８と第３包囲部６４とにより、容器蓋４５の周部４７と防水パッキン６１との間の浸水経路が折れ曲がった構成となり、かつ、この経路が長く確保される。したがって、容器蓋４５と防水パッキン６１との間を通る浸水をより確実に抑制することが可能である。
【００８０】
以上のようにケース底壁１４に容器蓋４５がねじ止めされた部分での防水性を確保できるので、器具本体１１に内蔵された端子台８３などの電気部品に対して開閉口４１を通って浸水することを確実に抑制可能である。しかも、防水パッキン６１はシリコーン樹脂製で耐候性が高いので、屋外で使用される照明器具の防水性を、長期間例えば発光部の寿命と同程度の期間維持することが可能である。
【００８１】
容器蓋４５のねじ止め後に例えば給電用電線の端子台８３への接続をし直す必要が生じた場合等には、各ねじ６９を緩めてねじ孔４２から外すことで、防水パッキン６１とともに容器蓋４５をケース底壁１４から外して、開閉口４１を開放すればよい。この開放状態で、開閉口４１を通して本体ケース１２内の端子台８３等に対する必要な処置を講じることが可能である。
【００８２】
又、既述の手順で容器蓋４５を着脱する場合、四角枠状をなした環形の防水パッキン６１は、その第１包囲部６２と第２包囲部６３で容器蓋４５の周部４７を包んで、容器蓋４５に支持されているので、容器蓋４５と一体的に取扱うことが可能である。
【００８３】
このため、容器蓋４５と一緒に防水パッキン６１が着脱されるにも拘らず、器具本体１１の本体ケース１２から外された容器蓋４５に対して防水パッキン６１が所定位置からずれることを抑制可能であるとともに、防水パッキン６１が脱落することを抑制可能である。
【００８４】
しかも、防水パッキン６１は、容器蓋４５の裏側に開放した環形溝４８に嵌入された環形の第３包囲部６４を有しているので、容器蓋４５が外された状態で、この容器蓋４５の周部４７から防水パッキン６１を外す方向に外力が作用することがあっても、環形溝４８と第３包囲部６４とが引っ掛かった状態が維持される。これにより、防水パッキン６１が容器蓋４５の周部４７を包んだ状態を保持できるに伴い、外された状態の容器蓋４５に対し防水パッキン６１を所定位置に確実に保持することが可能である。
【００８５】
更に、こうした容器蓋４５に対する防水パッキン６１のずれや脱落の防止のために、防水パッキン６１を容器蓋４５等に接着剤で接着する必要がない。このため、防水パッキン６１が耐候性の高いシリコーン樹脂製であっても、既述の構成により低コストで防水パッキン６１を所定位置に確実に保持して容器蓋４５から外れることを抑制可能である。
【００８６】
又、防水パッキン６１のねじ通孔６６の径は、このねじ通孔６６に通されているねじ６９のねじ軸部の直径より小さいので、ねじ軸部は、防水パッキン６１のねじ通孔６６周りを弾性変形させてこのねじ通孔６６に通されている。これにより、容器蓋４５とともに防水パッキン６１が本体ケース１２から外された状態でも、ねじ６９のねじ軸部は、防水パッキン６１のねじ通孔６６に引っ掛かった状態を維持する。したがって、容器蓋４５が外された状態で、ねじ６９が脱落して紛失することを、止め輪等の落下防止用の部材を要することなく抑制できるので、それに伴い、再び容器蓋４５を本体ケース１２のケース底壁１４に取付ける作業を容易に行うことが可能である。
【実施例２】
【００８７】
図８は実施例２を示している。実施例２は以下説明する構成が実施例１とは相違しており、それ以外の構成は実施例１と同じであるため、実施例１と同一ないしは同様の機能を奏する構成については、実施例１と同じ符号を付してその説明を省略する。
【００８８】
この実施例２の照明器具１は、本体ケース１２に透光部材２３を取付ける構造と、配光制御用のルーバ９１を更に備えた点が実施例１とは異なる。
【００８９】
詳しくは、本体ケース１２の連結端部１６は、中空部１６ａと、爪受け部１６ｂと、シール溝１７を有した溝形成部１６ｃとで形成されている。シール溝１７は、横方向、つまり、本体ケース１２の短手方向（幅方向）に開放されている。爪受け部１６ｂと溝形成部１６ｃとは離間されていて、これら爪受け部１６ｂと溝形成部１６ｃとの間は中空部１６ａに上方から連通されている。爪受け部１６ｂは本体ケース１２の外側に臨んで設けられ、かつ、溝形成部１６ｃは本体ケース１２の内側に設けられている。更に、これら爪受け部１６ｂと溝形成部１６ｃとの間に、シール溝１７に嵌められた防水リング２１の一部が突出するように臨んでいる。
【００９０】
透光部材２３は透明アクリル樹脂などの透光性樹脂で形成されている。透光部材２３は本体ケース１２と同じ長さであって、その長手方向に直交する短手方向の幅は本体ケース１２の幅と略同じである。この透光部材２３の幅方向両端部の裏面には夫々係止爪２４が一体に突設されていて、これら係止爪２４は透光部材２３の長手方向全長にわたって延びている。
【００９１】
透光部材２３は、本体ケース１２の連結端部１６間を閉じて本体ケース１２に取付けられている。この取付けは、透光部材２３の係止爪２４を爪受け部１６ｂと溝形成部１６ｃとの間に合わせた状態で押し込むことによって、中空部１６ａ内で、係止爪２４を爪受け部１６ｂにその下側から係止させて行われている。
【００９２】
こうして取付けられた状態では、シール溝１７に嵌められた防水リング２１の一部が圧縮された状態となって、爪受け部１６ｂと溝形成部１６ｃとの間に通された係止爪２４の側面に防水リング２１が密接されて、連結端部１６と透光部材２３との間の防水が確保されている。更に、防水リング２１の弾性力で、爪受け部１６ｂへの係止爪２４の係止状態が強化されている。これとともに、防水リング２１が係止爪２４を押す力を爪受け部１６ｂで受けて、係止爪２４の根元に前記力によるストレスが集中することを抑制して、係止爪２４の耐久性を確保している。
【００９３】
以上のような本体ケース１２に対する透光部材２３の取付け構造によれば、係止爪２４を爪受け部１６ｂと溝形成部１６ｃとの間に挿通させることにより、本体ケース１２に透光部材２３を取付けることができる。このため、実施例１の照明器具と比較して、押え縁及びこれらを固定するねじ等を必要としないとともに、実施例１で説明した押え縁の省略に伴って、この押え縁に側板を通ってねじ込まれるねじも省略できるので、部品点数及び組立て工数を削減できる。
【００９４】
又、ルーバ９１は、板金のプレス加工品であり、複数例えば二枚のルーバ片９１ａと、複数のルーバ脚９１ｂを有して形成されている。ルーバ片９１ａは上向きに折れ曲がって設けられている。ルーバ９１の長さは一つの発光モジュール７４の長さと略同じである。なお、ルーバ９１は、本体ケース１２の全長と同じ長さの一本物でも良い。
【００９５】
これらのルーバ９１のルーバ脚９１ｂは、レンズ７７の取付け脚とともにねじ９２で共締めされてユニットベース７２に固定され、レンズ７７を覆って配設されている。ルーバ９１のルーバ片９１ａは、レンズ７７の光出射面に対して直角となるように配設されている。
【００９６】
実施例２の照明器具１は、以上説明した構成以外の構成は図示されない構成を含めて実施例１と同じである。したがって、この実施例２においても、前記課題が解決されるので、容器蓋４５が外されることがあっても、この容器蓋４５に取付けられた防水パッキン６１が外れることを低コストで抑制することを期待できる器具本体（密閉容器）１１及びこれを備えた照明器具１を提供できる。尚、実施例２の照明器具１は、耐候性が低くても差し支えない用途、又は耐候性が要求される場合でもその耐久年限が短くてもよい用途、例えば屋内でかつ湿気に晒され易い場所などを照明する用途等に好適に使用可能である。
【実施例３】
【００９７】
図９は実施例３を示している。実施例３は以下説明する構成が実施例２とは相違しており、それ以外の構成は実施例２と同じであるため、実施例２と同一ないしは同様の機能を奏する構成については、実施例２と同じ符号を付してその説明を省略する。
【００９８】
この実施例３の照明器具１は、連結端部１６の溝形成部１６ｃが本体ケース１２の外側に臨んで設けられ、かつ、爪受け部１６ｂが本体ケース１２の内側に設けられている点が実施例２とは異なる。
【００９９】
実施例３の照明器具は、以上説明した構成以外は図示されない構成を含めて実施例２と同じである。したがって、この実施例３においても、前記課題が解決されるので、容器蓋４５が外されることがあっても、この容器蓋４５から防水パッキン６１が外れることを低コストで抑制することが可能な器具本体（密閉容器）１１及びこれを備えた照明器具１を提供できる。
【符号の説明】
【０１００】
１…照明器具、１１…器具本体（密閉容器）、１２…本体ケース（密閉容器本体）、２３…透光部材、４１…開閉口、４２…ねじ孔、４３…容器蓋、４６…環形壁、４７…周部、４８…環形溝、４９…容器蓋のねじ通孔、５１…ストッパ凸部、６１…防水パッキン、６２…第１包囲部、６３…第２包囲部、６４…第３包囲部、６６…防水パッキンのねじ通孔、６９…ねじ、７６…発光部、８３…端子台（電気部品）
【図１】
2012201386.tif 000003
【図２】
2012201386.tif 000004
【図３】
2012201386.tif 000005
【図４】
2012201386.tif 000006
【図５】
2012201386.tif 000007
【図６】
2012201386.tif 000008
【図７】
2012201386.tif 000009
【図８】
2012201386.tif 000010
【図９】
2012201386.tif 000011